(57)【特許請求の範囲】
【請求項１】
車両の動力搭載室の左右の側壁を構成し、懸架装置のダンパを収容する一対のダンパハウジングと、
各前記ダンパハウジングの上部に取り付けられ、前記ダンパが固定されるダンパベースと、
前記動力搭載室の後部に配置され、左右の縁部が左右の対応する前記ダンパベースに固定されるダッシュボード部品と、を備え、
前記ダンパベースは、ダンパ固定部を有するダンパベース上壁と、該ダンパベース上壁の周縁に段差状に屈曲して設けられ、該ダンパベース上壁よりも低位の棚部と、該棚部の外縁から下方に屈曲して前記ダンパハウジングの上部と固定される側壁部と、を備え、
前記ダッシュボード部品の左右の縁部が、左右の対応する前記ダンパベースの前記棚部に固定され、
前記ダッシュボード部品と前記ダンパハウジングを連結するコーナー部材と、
前記ダンパベースの棚部のうちの、前記ダッシュボード部品との固定部位と異なる部位に固定される連結ブラケットと、を備え、
前記コーナー部材が前記連結ブラケットに固定され、
前記ダンパベースの前記側壁部は、前記ダンパハウジングの内側面に接合されており、
前記ダンパハウジングには、前記ダンパベースの前記側壁部を外部に露出させる切欠き部が設けられており、
前記コーナー部材は、前記切欠き部を介して外部に露出した前記側壁部に結合される結合部を有していることを特徴とする車体前部構造。
【請求項２】
前記ダッシュボード部品は、前記動力搭載室の後部上方を覆うダッシュボードアッパプレートと、該ダッシュボードアッパプレートに接合されて、該ダッシュボードアッパプレートとともに車体左右方向に延出する閉断面部を構成する下部側横梁部材と、を備えていることを特徴とする請求項１に記載の車体前部構造。
【請求項３】
各前記ダンパハウジングの車幅方向内側の下方に配置される左右一対のフロントサイドフレームと、
各前記ダンパハウジングの側面に結合されて、該ダンパハウジングとともに上下方向に略沿う閉断面部を構成するハウジング補強部材と、を備え、
前記ハウジング補強部材と前記ダンパハウジングとによる左右の閉断面部は、前記ダッシュボードアッパプレートと前記下部側横梁部材とによる閉断面部とともに、左右の前記フロントサイドフレームを結合するフレームを構成していることを特徴とする請求項２に記載の車体前部構造。
【請求項４】
前記ダンパベースの板厚は、前記ダンパハウジングの板厚の２倍以上とされていることを特徴とする請求項１〜３のいずれか１項に記載の車体前部構造。
【発明の詳細な説明】
【技術分野】
【０００１】
この発明は、車体前部構造に関するものである。
【背景技術】
【０００２】
車両のエンジンルーム等の動力搭載室の左右両側には、懸架装置のダンパを収容する一対のダンパハウジングが配置されている。ダンパハウジングの上部には、各ダンパの上部を支持するダンパベースが取り付けられ、左右のダンパベースには、動力搭載室の後部に配置されるダッシュボードアッパプレート等のダッシュボード部品が結合されている。
【０００３】
車両の左右のダンパベースには、車両の走行時に懸架装置のダンパを介して大きな走行荷重が入力される。このため、車体前部構造として、ダンパ上部の支持剛性を高めるために左右の各ダンパベースに別体の補強部材が取り付けられたものが案出されている（例えば、特許文献１参照）。
【０００４】
特許文献１に記載の車体前部構造は、外周縁部に６つの膨出部が円周方向に離間して配置された補強部材が左右のダンパベースの上面に重ねられて取り付けられている。補強部材の外周縁部に一つおきに配置される三つの膨出部は、ダンパベースとともにダンパの上端部を支持するダンパ固定部とされ、残余の三つの膨出部は、ダッシュボード部品の端部に固定されるダッシュアッパ固定部とされている。
【先行技術文献】
【特許文献】
【０００５】
【特許文献１】特開２０１３−１７３４８５号公報
【発明の概要】
【発明が解決しようとする課題】
【０００６】
しかしながら、特許文献１に記載の車体前部構造は、左右の各ダンパベースに別体の補強部材を取り付けなければならないため、部品点数が多くなるうえに構造が複雑になり、車両の製造コストの高騰の原因となり易い。
【０００７】
この対策としては、ダンパベースに別体の補強部材を取り付けずに、ダンパプレートの肉厚を厚くすることが考えられる。しかし、この場合、走行荷重の入力されるダンパ固定部と、薄肉のダッシュボード部品が固定されるダッシュアッパ固定部とが、連続した平面上で隣接して配置されることになるため、ダンパから入力される走行荷重に起因する応力がダッシュアッパ固定部に大きく作用する可能性が考えられる。
【０００８】
そこでこの発明は、製造コストの低減と、ダッシュボード部品の固定部の強度の向上を図ることができる車体前部構造を提供しようとするものである。
【課題を解決するための手段】
【０００９】
この発明に係る車体前部構造は、上記課題を解決するために、車両の動力搭載室（例えば、実施形態のエンジンルーム２）の左右の側壁を構成し、懸架装置のダンパを収容する一対のダンパハウジング（例えば、実施形態のダンパハウジング１０）と、各前記ダンパハウジングの上部に取り付けられ、前記ダンパが固定されるダンパベース（例えば、実施形態のダンパベース１１）と、前記動力搭載室の後部に配置され、左右の縁部が左右の対応する前記ダンパベースに固定されるダッシュボード部品（例えば、実施形態のダッシュボードアッパプレート１２，クロスメンバ１４）と、を備え、前記ダンパベースは、ダンパ固定部（例えば、実施形態の締結孔１５）を有するダンパベース上壁（例えば、実施形態のダンパベース上壁１１−ａ）と、該ダンパベース上壁の周縁に段差状に屈曲して設けられ、該ダンパベース上壁よりも低位の棚部（例えば、実施形態の棚部１１−ｂ）と、該棚部の外縁から下方に屈曲して前記ダンパハウジングの上部と固定される側壁部（例えば、実施形態の側壁部１１−ｃ）と、を備え、前記ダッシュボード部品の左右の縁部が、左右の対応する前記ダンパベースの前記棚部に固定され、前記ダッシュボード部品と前記ダンパハウジングを連結するコーナー部材（例えば、実施形態のコーナー部材１９）と、前記ダンパベースの棚部のうちの、前記ダッシュボード部品との固定部位と異なる部位に固定される連結ブラケット（例えば、実施形態の連結ブラケット２０）と、を備え、前記コーナー部材が前記連結ブラケットに固定され、前記ダンパベースの前記側壁部は、前記ダンパハウジングの内側面に接合されており、前記ダンパハウジングには、前記ダンパベースの前記側壁部を外部に露出させる切欠き部（例えば、実施形態の切欠き部２１）が設けられており、前記コーナー部材は、前記切欠き部を介して外部に露出した前記側壁部に結合される結合部（例えば、実施形態の結合部２２）を有している構成とした。
【００１０】
この場合、ダンパベース上壁の外周縁部に段差状に屈曲して低位に形成された棚部に、ダッシュボード部品の左右の縁部が固定されているため、車両の走行荷重がダンパベース上壁に入力されたときに、その荷重が、ダンパベース上壁と棚部の間の段差部分によっていなされ、ダッシュボード部品の固定部に直接的に伝達されにくくなる。このため、ダンパベースを単一の板状部品によって構成しても、ダンパベース上のダッシュボード部品の固定部に大きな応力が作用しにくくなる。
【００１１】
この場合、ダッシュボード部品がコーナー部材を介してダンパハウジングにも支持されることになる。また、ダッシュボード部品に連結されたコーナー部材は、ダンパベースの棚部のうちの、ダッシュボード部品との固定部位と異なる部位に、連結ブラケットを介して固定されているため、ダンパからダンパベースに入力された走行荷重は、ダンパベースの棚部の複数箇所を経由してダッシュボード部品側に伝達されることになる。したがって、ダンパベース上のダッシュボード部品の固定部に、より応力集中が生じにくくなる。
【００１２】
この場合、コーナー部材の結合部が、ダンパハウジングの切欠き部を介してダンパベースの側壁部に結合されるため、コーナー部材をダンパハウジングとダンパベースに対して三枚重ねにすることなく、ダンパベースに固定することが可能になる。したがって、ダンパベースの肉厚を厚く設定した場合にも、コーナー部材をダンパベースに対して高い強度をもって溶接することができる。
【００１３】
前記ダッシュボード部品は、前記動力搭載室の後部上方を覆うダッシュボードアッパプレート（例えば、実施形態のダッシュボードアッパプレート１２）と、該ダッシュボードアッパプレートに接合されて、該ダッシュボードアッパプレートとともに車体左右方向に延出する閉断面部を構成する下部側横梁部材（例えば、実施形態のクロスメンバ１４）と、を備えた構成としても良い。
この場合、左右のダンパベースがダッシュボードアッパプレートと下部側横梁部材とによる閉断面部によって連結されているため、左右のダンパの上部を高い剛性をもって支持することが可能になる。
【００１４】
各前記ダンパハウジングの車幅方向内側の下方に配置される左右一対のフロントサイドフレーム（例えば、実施形態のフロントサイドフレーム４）と、各前記ダンパハウジングの側面に結合されて、該ダンパハウジングとともに上下方向に略沿う閉断面部を構成するハウジング補強部材（例えば、実施形態のハウジング補強部材１８）と、を備え、前記ハウジング補強部材と前記ダンパハウジングとによる左右の閉断面部は、前記ダッシュボードアッパプレートと前記下部側横梁部材とによる閉断面部とともに、左右の前記フロントサイドフレームを結合するフレームを構成するようにしても良い。
この場合、ハウジング補強部材とダンパハウジングとによる左右の閉断面部が、上部側においてダッシュボードアッパプレートと下部側横梁部材とによる閉断面部に結合されるとともに、下部側において左右のフロントサイドフレームに結合されている。このため、これらの組付体により車体前後の剛性が高められる。
【００１５】
前記ダンパベースの板厚は、前記ダンパハウジングの板厚の２倍以上とされていることが望ましい。
この場合、ダンパベースの剛性を高めるための補強部材を廃止することが可能になるとともに、メッキを施さなくても錆による剛性低下を抑制することが可能になる。
【発明の効果】
【００１６】
この発明によれば、ダンパベース上壁の外周縁部に段差状に屈曲して低位に形成された棚部に、ダッシュボード部品の左右の縁部が固定されているため、ダンパベースを単一の板状部品によって構成しても、ダンパベース上のダッシュボード部品の固定部に走行荷重等に起因する大きな応力が作用するのを抑制することができる。したがって、この発明によれば、製造コストの低減と、ダッシュボード部品の固定部の強度の向上を図ることができる。
【図面の簡単な説明】
【００１７】
【図１】この発明の一実施形態に係る車両の前部側骨格部の正面図である。
【図２】この発明の一実施形態に係る車両の前部側骨格部の斜視図である。
【図３】この発明の一実施形態に係る車両を図２のＩＩＩ−ＩＩＩ線に沿って一部を破断した斜視図である。
【図４】この発明の一実施形態に係る車両の前部側骨格部の斜視図である。
【図５】この発明の一実施形態に係る車両の前部側骨格部の斜視図である。
【図６】この発明の一実施形態に係る車両を図２のＶＩ−ＶＩ線に沿って一部を破断した斜視図である。
【発明を実施するための形態】
【００１８】
以下、この発明の一実施形態を図面に基づいて説明する。
図１は、実施形態に係る車両１の前部側の骨格部を車体前方側から見た図であり、図２は、車両１の前部側の骨格部を右斜め上方から見た図である。
図中の符号２は、車室の前方に配置される動力搭載室の一形態であるエンジンルームである。なお、動力源としてモータを採用する場合には、この領域はモータールームとなる。エンジルーム２の下部の車幅方向両側には、車体前後方向に延出するフロントサイドフレーム４が配置されている。
左右のフロントサイドフレーム４の後端部は、車幅方向に延出して左右の図示しないフロントピラーを連結するダッシュボードロア・クロスメンバ５（図２参照）と、車室の下方で車体前後方向に延出するフロントフロアフレーム６（図２参照）の前縁部に結合されている。
【００１９】
また、エンジンルーム２の上部の車幅方向両側には、左右のフロントピラーから車体の前部下方に向かって湾曲して延出するアッパメンバ９が連結されている。各アッパメンバ９の前端部はフロントサイドフレーム４の前端部の近傍まで湾曲して延出している。左右の各アッパメンバ９は、左右の各フロントサイドフレーム４に対し車幅方向外側にオフセットして配置されている。各アッパメンバ９の前端部は連結部材７を介してフロントサイドフレーム４の前端部に結合されている。
【００２０】
左右の各アッパメンバ９の後部寄りの側面には、図示しないフロント側懸架装置のダンパ（ショックアブソーバ）の上部を収容するダンパハウジング１０が取り付けられている。ダンパハウジング１０は、プレス成形された金属プレートから成り、アッパメンバ９の車幅方向内側の側壁とともにダンパの周域を取り囲む側壁１０ａを有している。ダンパハウジング１０の上端部は上方に開口しており、その開口部分に、ダンパの上端部を支持するダンパベース１１が取り付けられている。ダンパの上端部は、対応するダンパベース１１にボルト締結等によって固定される。
【００２１】
ダンパハウジング１０の側壁１０ａの車幅方向内側領域の下縁部は、車幅方向内側に向かって傾斜し、その下端部が左右の対応するフロントサイドフレーム４の外側側面に結合されている。なお、図中の符号８は、アッパメンバ９の車幅方向内側の側壁とフロントサイドフレーム４の車幅方向外側の側壁とに架設された状態で、ダンパハウジング１０の下部側の前縁部に接合されたホイールハウス支持メンバである。ホイールハウス支持メンバ８には、図示しないフロントホイールハウスが取り付けられるようになっている。
ダンパハウジング１０とホイールハウス支持メンバ８とは、エンジンルーム２の左右の側壁の一部を構成している。
【００２２】
また、エンジンルーム２の後端側上部には、両端部が左右のアッパメンバ９の付根部と、左右の対応するダンパベース１１とに連結されるダッシュボードアッパプレート１２が配置されている。ダッシュボードアッパプレート１２は、エンジンルーム２の後端側の上部において、車幅方向に沿って延出しており、その後部上端側には、カウルトップパネル１３が取り付けられている。この実施形態の場合、ダッシュボードアッパプレート１２は、後述するクロスメンバ１４とともにダッシュボード部品を構成している。
【００２３】
図３は、図２のＩＩＩ−ＩＩＩ線に沿って破断した車両１の骨格部を右側前部上方側から見た図であり、図４は、ダッシュボードアッパプレート１２とクロスメンバ１４を取り去って左側のダンパハウジング１０部分を右側後部上方から見た図である。また、図５は、部品を一部取り去って左側のダンパハウジング１０部分を右側の前部上方から見た図であり、図６は、図２のＶＩ−ＶＩ線に沿って破断して車両１の骨格部を前方側から見た図である。
ダンパベース１１は、ダンパハウジング１０の２〜３倍程度の厚み（例えば、４mm）の金属プレートから成り、ダンパの上端部をボルト締結する締結孔１５（ダンパ固定部）を有するダンパベース上壁１１−ａと、ダンパベース上壁１１−ａの周縁に段差状に屈曲して設けられ、ダンパベース上壁１１−ａよりも低位の棚部１１−ｂと、棚部１１−ｂの外縁から下方に屈曲してダンパハウジング１０の上端部に嵌入されて溶接固定される側壁部１１−ｃと、を備えている。
【００２４】
ダンパベース上壁１１−ａは、ダンパの上部に設けられた突出部が挿入される開口１６を有し、その開口１６の周域にダンパ固定部である３つの締結孔１５が円周方向に等間隔に離間して配置されている。開口１６の周縁部には、浅い円筒状の補強フランジ１７が突設されている。ダンパベース上壁１１−ａの外周縁部は、径方向外側に略円弧状に膨出する複数の凸部と、径方向内側に略円弧状に窪む複数の凹部とが円周方向で隣接して配置されている。棚部１１−ｂは、ダンパベース上壁１１−ａの外周部に設けられた接続壁１１−ｄを介して連続して形成されている。ダンパベース上壁１１−ａと棚部１１−ｂの上面は略水平に形成され、棚部１１−ｂの上面はダンパベース上壁１１−ａの上面よりも低位となっている。
【００２５】
ところで、ダッシュボードアッパプレート１２は、金属プレートがプレス成形されて構成されているが、ダッシュボードアッパプレート１２の前縁部のうちの、左右の両端部を除く領域は、図３に示すように、底壁１２ａと、底壁１２ａの前端部から上方に起立する縦壁１２ｂと、縦壁１２ｂの上端部から前方に略直角に屈曲して略水平に延出する上壁１２ｃと、を有している。底壁１２ａの下面と上壁１２ｃの前縁部の下面には、車幅方向に略沿って延出する金属プレートから成るクロスメンバ１４が溶接固定されている。クロスメンバ１４は、底壁１４ａと、底壁１４ａの前端部から上方に起立する縦壁１４ｂと、を有しており、底壁１４ａの後端部と縦壁１４ｂの上端部には、それぞれ接合フランジ１４ｃ，１４ｄが延設されている。クロスメンバ１４は、底壁１４ａの後端部の接合フランジ１４ｃと、縦壁１４ｂの上端部の接合フランジ１４ｄとが、それぞれダッシュボードアッパプレート１２の底壁１２ａと上壁１２ｃとに溶接固定されている。
クロスメンバ１４は、ダッシュボードアッパプレート１２の前縁部とともに、車体左右方向に延出する閉断面部を構成している。この実施形態では、クロスメンバ１４が下部側横梁部材を構成している。
【００２６】
また、各ダンパハウジング１０の側壁１０ａの車幅方向内側に最大に膨出する領域の外側面（エンジンルーム２内側の面）には、上下方向に略沿って延出するハウジング補強部材１８が溶接固定されている。ハウジング補強部材１８は、水平断面がハット状に形成され、ダンパハウジング１０の側壁１０ａとともに上下方向に略沿う閉断面部を構成している。また、ハウジング補強部材１８の上部には、図４に示すように、断面略ハット状のコーナー部材１９が重ねられて溶接固定されている。
【００２７】
図４に示すように、ダンパハウジング１０の側壁の車体後部領域には、ダンパハウジング１０とダッシュボードアッパプレート１２の左右の側端部の下面を連結する連結ブラケット２０が結合されている。連結ブラケット２０の上縁部には、車体前方側に屈曲して、その下面がダンパベース１１の棚部１１−ｂの車体後方側領域１１−ｂｒに溶接固定される接合フランジ２０−ｆ１と、車幅方向内側に屈曲して、その裏面側がコーナー部材１９の前部側の接合フランジ１９−ｆ１の一部に溶接固定される接合フランジ２０−ｆ２が形成されている。
【００２８】
また、ダッシュボード部品であるクロスメンバ１４の左右の端縁には、図２，図３，図６に示すように、略平坦な接合フランジ１４ｅが延設されている。クロスメンバ１４の左右の端縁の接合フランジ１４ｅは、左右の対応するダンパベース１１の棚部１１−ｂの車体内側領域１１−ｂｓの上面に重ねられ、その状態において棚部１１−ｂに溶接固定されている。即ち、クロスメンバ１４の左右の端縁は、左右のダンパベース１１のうちの、ダンパベース上壁１１−ａに対して段差状に下がった部位において、ダンパベース１１に溶接されている。
【００２９】
ここで、ハウジング補強部材１８の上部に溶接固定されるコーナー部材１９は、図６に示すように、上方延出部１９Ａと側方延出部１９Ｂとを有する略Ｌ字状の正面視形状に形成されている。上方延出部１９Ａの接合フランジ１９−ｆ１，１９−ｆ２は、図４，図６に示すように、ダンパハウジング１０の側壁１０ａの外側面に溶接固定されている。また、ダンパハウジング１０の側壁１０ａの上端部の一部には、図３，図５，図６に示すように、下方に凹状に窪むように切欠き部２１が形成され、ダンパベース１１の側壁部１１−ｃの一部が、この切欠き部２１を通して外部（エンジンルーム２側）に露出している。側壁部１１−ｃのうちの切欠き部２１を通して外部に露出した部分には、コーナー部材１９の上方延出部１９Ａの前方側の接合フランジ１９−ｆ２の一部が溶接固定されている。接合フランジ１９−ｆ２のうちの、切欠き部２１を通して側壁部１１−ｃに溶接固定される部分については結合部２２と呼ぶ。結合部２２は、接合フランジ１９−ｆ２の一部が車幅方向外側に膨出している。
【００３０】
また、コーナー部材１９の側方延出部１９Ｂの上面には、クロスメンバ１４の側縁部の下面が重ねられている。コーナー部材１９の側方延出部１９Ｂは、接合フランジ１９−ｆ１，１９−ｆ２において、クロスメンバ１４の側縁部に溶接固定されている。コーナー部材１９は、上記のようにダンパハウジング１０の側壁１０ａと、ダンパベース１１の側壁部１１−ｃと、クロスメンバ１４とに結合されると、ダッシュボードアッパプレート１２とクロスメンバ１４とによる車幅方向に延出する閉断面部と、ハウジング補強部材１８とダンパハウジング１０とによる上下方向に延出する閉断面部とを閉断面によって高い剛性をもって連結することになる。
したがって、この実施形態では、ハウジング補強部材１８とダンパハウジング１０とによる左右の閉断面部は、ダッシュボードアッパプレート１２とクロスメンバ１４とによる閉断面部とともに、左右のフロントサイドフレームを結合するフレームを構成している。
【００３１】
以上のように、この実施形態に係る車体前部構造においては、左右のダンパベース１１が、ダンパ固定部を有するダンパベース上壁１１−ａと、ダンパベース上壁１１−ａの外周縁部に段差状に屈曲して低位に形成された棚部１１−ｂと、棚部１１−ｂの外縁から下方に屈曲してダンパハウジング１０の上部に固定される側壁部１１−ｃと、を有し、左右のダンパベース１１の棚部１１−ｂに、ダッシュボード部品であるクロスメンバ１４の左右の縁部が固定されている。このため、ダンパベース１１が、ダンパハウジング１０よりも肉厚の厚いの単一の板状部品によって構成されているにも拘わらず、車両走行時等に、ダンパベース１１上のクロスメンバ１４の固定部（溶接部）にダンパからの入力荷重が大きな応力と作用するのを抑制することができる。
【００３２】
即ち、この実施形態に係る車体前部構造では、ダンパベース上壁１１−ａの外周縁部に段差状に屈曲して低位に形成された棚部１１−ｂに、クロスメンバ１４の左右の縁部が固定されているため、車両の走行荷重がダンパからダンパベース上壁１１−ａに入力された場合には、その荷重を、ダンパベース上壁１１−ａと棚部１１−ｂの間の段差部分によって有効にいなすことができる。これにより、ダンパベース１１上のクロスメンバ１４の固定部に大きな応力が作用するのを防止することができる。
したがって、この車体後部構造を採用した場合には、ダンパベース１１を肉厚の厚い単一の板状部材によって形成して製造コストの低減を図ることができ、かつクロスメンバ１４等のダッシュボード部品の固定部の強度を高めることができる。
【００３３】
また、この実施形態に係る車体前部構造においては、ダッシュボード部品であるクロスメンバの縁部が、ダンパベース１１の棚部１１−ｂのうちの車体内側領域１１−ｂｓに直接溶接固定されるとともに、クロスメンバ１４に固定されたコーナー部材１９が連結ブラケット２０を介してダンパベース１１の棚部１１−ｂのうちの車体後方側領域１１−ｂｒに結合されている。このため、この実施形態に係る車体前部構造を採用した場合、ダンパからダンパベース１１に入力された走行荷重が、ダンパベース１１の棚部１１−ｂの複数箇所を経由してクロスメンバ１４に伝達されることになるため、ダンパベース１１上のクロスメンバ１４の固定部により応力集中が生じにくくなる。
【００３４】
さらに、この実施形態に係る車体前部構造では、ダンパハウジング１０に、ダンパベース１１の側壁部１１−ｃを外部に露出させる切欠き部２１が形成され、コーナー部材１９の結合部２２が切欠き部２１を通してダンパベース１１の側壁部１１−ｃに溶接固定されている。このため、コーナー部材１９をダンパハウジング１０とダンパベース１１に対して三枚重ねにすることなく、コーナー部材１９をダンパベース１１に溶接固定することができる。したがって、この構造を採用した場合、ダンパベース１１の肉厚を充分に厚く設定しても、コーナー部材１９をダンパベース１１に対して高い強度をもって溶接固定することができる。
【００３５】
また、この実施形態に係る車体前部構造の場合、ダッシュボード部品が、エンジンルーム２の後部上方を覆うダッシュボードアッパプレート１２と、ダッシュボードアッパプレート１２とともに車体左右方向に延出する閉断面部を構成するクロスメンバ１４と、を備えた構成とされている。このため、左右のダンパベース１１がダッシュボードアッパプレート１２とクロスメンバ１４とによる閉断面部によって連結されることになる。したがって、この構造を採用した場合には、左右のダンパの上部を高い剛性をもって支持することが可能になる。
【００３６】
さらに、この実施形態に係る車体前部構造においては、ダンパハウジング１０の側面に結合されて、ダンパハウジング１０とともに上下方向に略沿う閉断面部を構成するハウジング補強部材１８を備え、ハウジング補強部材１８とダンパハウジング１０とによる左右の閉断面部が、ダッシュボードアッパプレート１２とクロスメンバ１４とによる閉断面部とともに、左右のフロントサイドフレーム４を結合するフレームを構成している。したがって、この車体前部構造では、ハウジング補強部材１８とダンパハウジング１０とによる左右の閉断面部と、ダッシュボードアッパプレート１２とクロスメンバ１４とによる上部側の閉断面部とが、左右のフロントサイドフレーム４に跨る門形の前部車体骨格を構成することになるため、車体前部の剛性を効率良く高めることができる。
【００３７】
また、この実施形態に係る車体前部構造の場合、ダンパベース１１の板厚が、ダンパハウジング１０の板厚の２倍以上（例えば、４mm）とされているため、ダンパベース１１の剛性を高めるための補強部材を廃止することができるうえ、メッキを施さなくても錆による剛性低下を抑制することができる。
【００３８】
なお、この発明は上記の実施形態に限定されるものではなく、その要旨を逸脱しない範囲で種々の設計変更が可能である。
【符号の説明】
【００３９】
２…エンジンルーム（動力搭載室）
４…フロントサイドフレーム
１０…ダンパハウジング
１１…ダンパベース
１１−ａ…ダンパベース上壁
１１−ｂ…棚部
１１−ｃ…側壁部
１２…ダッシュボードアッパプレート
１４…クロスメンバ（下部側横梁部材，ダッシュボード部品）
１５…締結孔（ダンパ固定部）
１８…ハウジング補強部材
１９…コーナー部材
２０…連結ブラケット
２１…切欠き部
２２…結合部
【図１】
0006652848.tif 000002
【図２】
0006652848.tif 000003
【図３】
0006652848.tif 000004
【図４】
0006652848.tif 000005
【図５】
0006652848.tif 000006
【図６】
0006652848.tif 000007